(57)【要約】【課題】  座位及び立位での良肢位をより正確に且つ再現性良く保持する肢位矯正ボードを提供する。【解決手段】  両足の足底を配置することにより、人体の肢位を矯正する肢位矯正ボード１００であって、各足の親指を水平に配置可能な平坦部１０１と、平坦部１０１の両端から連続して設けられ、各足の親指以外の４指を傾斜させて配置可能な一対の傾斜部１０２とを備え、平坦部１０１の上面を含む水平面に対して傾斜部１０２の上面が傾斜している角度ａは、５°以上であって且つ１０°以下である。【選択図】  図１
2006230732.tif 000002
【特許請求の範囲】
【請求項１】
両足の足底を配置することにより、人体の肢位を矯正する肢位矯正ボードであって、
各足の親指を水平に配置可能な平坦部と、
前記平坦部の両端から連続して設けられ、前記各足の親指以外の４指を傾斜させて配置可能な一対の傾斜部とを備え、
前記平坦部の上面を含む水平面に対して前記傾斜部の上面が傾斜している角度は、５°以上であって且つ１０°以下であることを特徴とする肢位矯正ボード。
【請求項２】
一方の前記傾斜部と他方の前記傾斜部との間隔は、１２ｃｍ以上であって且つ１７ｃｍ以下であることを特徴とする請求項１に記載の肢位矯正ボード。
【請求項３】
前記平坦部における両端に位置する一対の領域以外の領域の上には、凸部が形成されていることを特徴とする請求項２に記載の肢位矯正ボード。
【請求項４】
前記凸部の高さは、２ｃｍ以上であって且つ３ｃｍ以下であることを特徴とする請求項３に記載の肢位矯正ボード。
【発明の詳細な説明】
【技術分野】
【０００１】
本発明は、脛骨、大腿骨及び骨盤を正しい位置に固定矯正させる肢位矯正ボードに関する。
【背景技術】
【０００２】
老化、病気及び事故等が原因となって身体に問題を抱えた人々（以下、被介護者と記す）は、一時的な筋力の低下又は麻痺的症状等により、介護者の補助なくして、基本的な動作（すなわち、座位、立位、及び歩行等）を正しい肢位で行うことが困難な場合がある。また、このように、被介護者が基本的な動作を正しい肢位で行えない状況が継続すると、筋力が一層低下することにより、自律神経の働きの低下、血行不良、気力の喪失、及び体力の消耗等を招くことになる。したがって、被介護者が基本的な動作を正しい肢位で行えるようになることは重要である。
【０００３】
ここで、被介護者が基本的な動作を正しい肢位で実現するための基本について説明する。
【０００４】
まず重要であることは、被介護者が正しい座位を習得することである。正しい座位は、自身の体重の負荷が身体に左右バランス良く分配されるので、被介護者は正しい座位姿勢を容易に保持することができる。
【０００５】
更には、被介護者が正しい座位を習得することで、座位での良肢位を保持しながら立位へ移行すれば、立位での良肢位を保持することができる。
【０００６】
このように、被介護者が、座位での良肢位、更には立位での良肢位を保持することができれば、これらを繰り返し行うことにより、低下した筋力の回復を図ることができるので、自らの力で歩行することが可能になる。
【０００７】
以上のように、被介護者が基本的な動作を正しい肢位で実現するためには、被介護者が座位での良肢位を保持することが極めて重要である。
【０００８】
そこで、被介護者が座位での良肢位を保持することができるように、これまでは、介護者が補助することによって実現してきた。
【０００９】
以下に、座位での良肢位を保持する従来の方法について、図７(a) 及び(b) を参照しながら説明する。
【００１０】
図７(a) は、座位での良肢位を保持する従来の方法を示す斜視図であって、図７(b) は、立位での良肢位を保持する従来の方法を示す正面図である。
【００１１】
図７(a) に示すように、被介護者は、介護者（図示せず）の補助によって、およそ拳１つ分に相当する間隔ｗを空けて足を開くと共に各足の中指が真正面に向くようにして座る。
【００１２】
これにより、被介護者は、座位の際に、地面の上に、右足の大腿骨と左足の大腿骨とが互いに平行になるようにして各足底を配置することができる。このため、被介護者は、脛骨、大腿骨及び骨盤を正しい位置に保つことができるので、座位での良肢位を保持することができる。
【００１３】
更には、図７(b) に示すように、被介護者は、座位での良肢位を保持しながら立位へ移行する。
【００１４】
これにより、被介護者は、脛骨、大腿骨及び骨盤を正しい位置に保つと共に、自身の体重を他（例えば、各足の親指以外の４指）に分散させることなく、各足底（特に、各足の親指）に対して体重の負荷を充分にかけることができるので、地面からの抗力の作用を利用して自身の体重を容易に支えることができる。このため、被介護者は、立位での良肢位を保持することができる。
【００１５】
以上のようにして、被介護者は、座位での良肢位、更には立位での良肢位を実現していた。
【発明の開示】
【発明が解決しようとする課題】
【００１６】
ところで、座位での良肢位を保持する従来の方法では、被介護者は、介護者の補助によって、両足を拡げる間隔ｗ及び各足の中指を配置する位置を調整する必要がある。
【００１７】
このため、介護者の経験レベル等によって、両足を拡げる間隔ｗ及び各足の中指を配置する位置にバラツキが生じるので、被介護者は、座位での良肢位を実現することが困難な場合が多々生じていた。
【００１８】
また、被介護者の中には、両足を拡げる間隔ｗ及び各足の中指を配置する位置を維持することが困難な者もおり、このような被介護者は、座位での良肢位を実現することが非常に困難であった。
【００１９】
このように、被介護者が座位での良肢位を実現することができない場合には、被介護者は、必然的に、立位での良肢位を実現することができない。
【００２０】
更に、座位での良肢位を保持する従来の方法では、地面、すなわち、平坦面の上に各足底が配置されているため、被介護者は、各足底（特に、各足の親指）に対して体重の負荷を充分にかけることが困難であった。
【００２１】
特に、立位での良肢位を保持する従来の方法では、被介護者は、各足の中指が真正面に向くようにして起立するだけでは、地面、すなわち、平坦面の上に各足底が配置されているため、各足底（特に、各足の親指）に対して体重の負荷を充分にかけることが非常に困難であった。
【００２２】
このように、被介護者が各足底（特に、各足の親指）に対して体重の負荷を充分にかけることが困難な場合では、被介護者は、地面からの抗力の作用を充分に利用して自身の体重を容易に支えることができないので、座位及び立位での良肢位を保持することが困難であった。
【００２３】
以上のように、座位での良肢位を保持する従来の方法では、被介護者が、脛骨、大腿骨及び骨盤を正しい位置に保つことが充分にできないので、座位での良肢位を実現することが困難であった。
【００２４】
前記に鑑み、本発明は前記の問題を一挙に解決可能とするものであり、その目的とするところは、被介護者がより正確に且つ再現性良く座位での良肢位を保持することができる肢位矯正ボードを提供することである。
【課題を解決するための手段】
【００２５】
前記の目的を達成するために、本件発明者は種々の検討を重ねた結果、以下の点を見出した。すなわち、被介護者の各足の親指を平坦面に配置させると共に各足の親指以外の４指を傾斜面に配置させることにより、被介護者が座位での良肢位を容易に実現することができることを見出した。
【００２６】
加えて、本件発明者は、各足の親指以外の４指を傾斜面に配置させるときの傾斜角度の大きさについて試行錯誤を繰り返したところ、平坦面に対して傾斜面の傾斜角度が５°〜１０°であれば、被介護者が座位での良肢位を容易に実現することができる一方、傾斜角度が５°〜１０°の範囲よりも大きい角度又は小さい角度であれば、被介護者が座位での良肢位を実現することが困難であることを見出した。更には、平坦面に対して傾斜面の傾斜角度が６．５°±１°であれば、被介護者が座位での良肢位を最も容易に実現することが分かった。
【００２７】
本発明は、前記の知見に基づいて成されたものであり、具体的には、本発明に係る良肢位矯正ボードは、両足の足底を配置することにより、人体の肢位を矯正する肢位矯正ボードであって、各足の親指を水平に配置可能な平坦部と、平坦部の両端から連続して設けられ、各足の親指以外の４指を傾斜させて配置可能な一対の傾斜部とを備え、平坦部の上面を含む水平面に対して傾斜部の上面が傾斜している角度は、５°以上であって且つ１０°以下であることを特徴とする。
【００２８】
本発明に係る肢位矯正ボードによると、被介護者は、座位及び立位の際に、平坦部の上に各足の親指を配置すると共に傾斜部の上に各足の親指以外の４指を配置することができる。
【００２９】
すなわち、被介護者は、座位及び立位の際に、地面に対して水平な面の上に各足の親指を配置すると共に、地面に対して水平な面から５°〜１０°の角度が付された面の上に各足の親指以外の４指を配置することができる。
【００３０】
これにより、被介護者は、座位及び立位の際に、各足底（特に、各足の親指）に対して体重の負荷を充分にかけることができるので、地面からの抗力の作用を利用して自身の体重を容易に支えることができる。このため、被介護者は、座位及び立位での良肢位を保持することができる。
【００３１】
また、被介護者は、座位及び立位の際に、足の親指の筋肉である長母指筋と、足の親指以外の４指の筋肉である長指筋とが互いに拮抗した状態を維持することができるため、長母指筋及び長指筋に対して過剰な負荷を与えることがないので、各足底に対して正しい体重の負荷をかけることができる。
【００３２】
ここで、平坦部の上面に対して傾斜部の上面の傾斜角度が１０°よりも大きい角度である場合、被介護者は、座位及び立位の際に、自身の体重を他（例えば、各足の親指以外の４指）に分散させることなく、各足底（特に、各足の親指）に対して体重の負荷を充分にかけることができないので、抗力の作用を充分に利用して自身の体重を容易に支えることが困難である。
【００３３】
一方、平坦部の上面に対して傾斜部の上面の傾斜角度が５°よりも小さい角度である場合、被介護者は、座位及び立位の際に、膝関節及び股関節に対して余分な負荷がかかるので、転倒等の２次的傷害を引き起こす可能性がある。
【００３４】
このため、本発明に係る肢位矯正ボードでは、平坦部の上面に対して傾斜部の上面の傾斜角度が５°〜１０°の範囲となるように設計されており、これにより、被介護者は、座位及び立位での良肢位を安全且つ容易に実現することができる。
【００３５】
本発明に係る肢位矯正ボードにおいて、一方の傾斜部と他方の傾斜部との間隔は、１２ｃｍ以上であって且つ１７ｃｍ以下であることが好ましい。
【００３６】
このようにすると、被介護者は、座位及び立位の際に、平坦部及び傾斜部の上に、右足の大腿骨と左足の大腿骨とが互いに平行になるようにして各足底を配置することができるため、脛骨、大腿骨及び骨盤を正しい位置に保つことができるので、座位及び立位での良肢位を安全且つ確実に実現することができる。
【００３７】
本発明に係る肢位矯正ボードにおいて、平坦部における両端に位置する一対の領域以外の領域の上には、凸部が形成されていることが好ましい。
【００３８】
このようにすると、被介護者は、座位及び立位の際に、平坦部に設けられた凸部を用いて各足底を固定しながら、平坦部及び傾斜部の上に、右足の大腿骨と左足の大腿骨とが互いに平行になるようにして各足底を容易に配置することができる。
【００３９】
また、被介護者は、凸部を用いて各足底を正しい位置に固定しながら、座位から立位へ移行することができる。
【００４０】
これにより、被介護者は、座位から立位への移行の際に、各足底の配置位置がずれることを防止することができるので、立位での良肢位を確実に実現することができる。
【００４１】
本発明に係る肢位矯正ボードにおいて、凸部の高さは、２ｃｍ以上であって且つ３ｃｍ以下であることが好ましい。
【００４２】
このようにすると、被介護者は、座位及び立位の際に、凸部によって各足の踝等を摩擦することなく、平坦部に設けられた凸部を用いて各足底を固定しながら、平坦部及び傾斜部の上に、右足の大腿骨と左足の大腿骨とが互いに平行になるようにして各足底を容易に配置することができる。
【発明の効果】
【００４３】
本発明に係る肢位矯正ボードを用いることにより、被介護者は、座位及び立位の際に、地面に対して水平な面の上に各足の親指を間隔を空けて配置すると共に、地面に対して水平な面から５°〜１０°の角度が付された面の上に各足の親指以外の４指を配置することができる。
【００４４】
これにより、被介護者は、座位及び立位の際に、脛骨、大腿骨及び骨盤を正しい位置に保ちながら、自身の体重を他（例えば、各足の親指以外の４指）に分散させることなく、各足底（特に、各足の親指）に対して体重の負荷を充分にかけることができるので、抗力の作用を充分に利用して自身の体重を容易に支えることができる。
【００４５】
このため、被介護者は、転倒等の２次的傷害を引き起こすことなく、座位及び立位での良肢位を安全且つ確実に保持することができる。
【発明を実施するための最良の形態】
【００４６】
以下に、本発明の各実施形態について図面を参照しながら説明する。
【００４７】
（第１の実施形態）
以下に、本発明に係る肢位矯正ボードについて、図１(a) 及び(b) を参照しながら説明する。
【００４８】
図１(a) は、本発明に係る肢位矯正ボードの構造を示す斜視図であって、図１(b) は、本発明に係る肢位矯正ボードの構造を示す断面図である。
【００４９】
図１(a) 及び(b) に示すように、本発明に係る肢位矯正ボード１００は、平坦部１０１、傾斜部１０２及び凸部１０３から構成されている。
【００５０】
図１(a) 及び(b) に示すように、本発明に係る肢位矯正ボード１００は、各足の親指を水平に配置可能な平坦部１０１と、平坦部１０１の両端から連続して設けられ、各足の親指以外の４指を傾斜させて配置可能な一対の傾斜部１０２とを備える。
【００５１】
また、平坦部１０１における両端に位置する一対の領域、すなわち、各足の親指を配置可能な領域以外の領域の上には、凸部１０３が形成されている。
【００５２】
具体的には、傾斜部１０２は、平坦部１０１の上面を含む水平面に対して傾斜部１０２の上面が傾斜している角度ａが６．５°となるように設計されている。また、平坦部１０１の両端から連続するようにして、一対の傾斜部１０２が左右対称に設けられており、一対の傾斜部１０２は、一方の傾斜部１０２と他方の傾斜部１０２との間隔ｂが１５ｃｍとなるように設計されている。
【００５３】
また、凸部１０３は、幅ｃが約１２ｃｍであって且つ高さｄが約２ｃｍとなるように設計されている。このように、平坦部１０１における両端に位置する一対の領域は、各々の幅ｅが約２ｃｍとなるように設計されており、該領域の幅ｅは、平坦部１０１の上に各足の親指を安定に配置することができるように設計されている。
【００５４】
更に詳しくは、図１(a) 及び(b) に示すように、幅ｆは約３０ｃｍ、及び幅ｇは約１５ｃｍであり、いずれも傾斜部１０２の上に各足の親指以外の４指を安定に配置することができるように設計されている。また、平坦部１０１の高さｈは約２ｃｍであり、この高さは必要に応じて適宜選択して設計される。
【００５５】
また、本発明に係る肢位矯正ボード１００は、プラスチックを用いて構成されており、これにより、肢位矯正ボード１００の軽量化を図ることができる。
【００５６】
但し、本発明に係る肢位矯正ボードを構成する材料は、プラスチックに限定されることはなく、例えば、木材等を用いても良い。
【００５７】
このように、本発明に係る肢位矯正ボード１００では、平坦部１０１の両端から連続するようにして、角度ａが６．５°となるように設計された傾斜部１０２が設けられている。
【００５８】
このため、被介護者は、平坦部１０１の上に各足の親指を間隔を空けて配置すると共に、傾斜部１０２の上に各足の親指以外の４指を配置することができる。
【００５９】
すなわち、被介護者は、地面に対して水平な面の上に各足の親指を間隔を空けて配置すると共に、地面に対して水平な面から６．５°の角度が付された面の上に各足の親指以外の４指を配置することができる。
【００６０】
ここで、平坦部１０１の上面に対して傾斜部１０２の上面が傾斜している角度が、６．５°であればより好ましい理由について考察を加えてみた結果、以下の理由が大きく関係していると考えられる。
【００６１】
図２に示すように、全ての筋肉が全く伸縮せずに互いに拮抗した状態、すなわち、解剖学的肢位の（ストレスフリーな）状態において、右目と左足の重心とを結ぶと共に左目と右足の重心とを結ぶ（直線Ａ参照）。続いて、直線Ａに対して垂線を引くことにより、直線Ｂを得る。これにより、地面に対して水平な線である直線Ｃと直線Ｂとが成す角度Ｄを計測する。
【００６２】
このとき、角度Ｄは６．５°と計測され、このように、角度Ｄの大きさは角度ａの大きさに大きく関係していると考えられる。
【００６３】
更に、平坦部１０１の上面に対して傾斜部１０２の上面の傾斜角度が１０°よりも大きい角度である場合、被介護者は、座位及び立位の際に、自身の体重を他（例えば、各足の親指以外の４指）に分散させることなく、各足底（特に、各足の親指）に対して体重の負荷を充分にかけることができないので、抗力の作用を充分に利用して自身の体重を容易に支えることが困難である。
【００６４】
一方、平坦部１０１の上面に対して傾斜部１０２の上面の傾斜角度が５°よりも小さい角度である場合、被介護者は、座位及び立位の際に、膝関節及び股関節に対して余分な負荷がかかるので、転倒等の２次的傷害を引き起こす可能性がある。
【００６５】
このため、本発明に係る肢位矯正ボード１００では、平坦部１０１の上面に対して傾斜部１０２の上面の傾斜角度を５°〜１０°の範囲となるように設計されている。
【００６６】
これにより、被介護者は、座位及び立位の際に、各足底（特に、各足の親指）に対して体重の負荷を充分にかけることができるので、地面からの抗力の作用を利用して自身の体重を容易に支えることができる。このため、被介護者は、座位及び立位での良肢位を安全且つ容易に保持することができる。
【００６７】
また、被介護者は、座位及び立位の際に、足の親指の筋肉である長母指筋と、足の親指以外の４指の筋肉である長指筋とが互いに拮抗した状態を維持することができるため、長母指筋及び長指筋に対して過剰な負荷を与えることがないので、各足底に対して正しい体重の負荷をかけることができる。
【００６８】
また、本発明に係る肢位矯正ボード１００では、一対の左右対称に形成された傾斜部１０２が、一方の傾斜部１０２と他方の傾斜部１０２との間隔ｂが１５ｃｍとなるように設計されている。
【００６９】
このため、被介護者は、座位及び立位の際に、平坦部１０１及び傾斜部１０２の上に、右足の大腿骨と左足の大腿骨とが互いに平行になるようにして各足底を配置することができるため、脛骨、大腿骨及び骨盤を正しい位置に保つことができるので、座位及び立位での良肢位を確実に保持することができる。
【００７０】
また、本発明に係る肢位矯正ボード１００では、凸部１０３が、凸部１０３の幅ｃが１２ｃｍとなるように設計されている。
【００７１】
このため、被介護者は、座位及び立位の際に、平坦部１０１に設けられた凸部１０３を用いて各足底を固定しながら、平坦部１０１及び傾斜部１０２の上に、右足の大腿骨と左足の大腿骨とが互いに平行になるようにして各足底を容易に配置することができる。
【００７２】
また、被介護者は、凸部１０３を用いて各足底を正しい位置に固定しながら、座位から立位へ移行することができる。
【００７３】
これにより、被介護者は、座位から立位への移行の際に、各足底の配置位置がずれることを防止することができるので、立位での良肢位を確実に実現することができる。
【００７４】
また、本発明に係る肢位矯正ボード１００では、凸部１０３は、凸部１０３の高さｄが２ｃｍとなるように設計されている。
【００７５】
このため、被介護者は、座位及び立位の際に、凸部１０３によって各足の踝等を摩擦することなく、平坦部１０１に設けられた凸部１０３を用いて各足底を固定しながら、平坦部１０１及び傾斜部１０２の上に、右足の大腿骨と左足の大腿骨とが互いに平行になるようにして各足底を容易に配置することができる。
【００７６】
以上のように、被介護者は、本発明に係る肢位矯正ボード１００を用いることにより、介護者の手助け又は自らの力によって、地面に対して水平な面の上に各足の親指を間隔を空けて配置すると共に地面に対して水平な面から６．５°の角度が付された面の上に各足の親指以外の４指を配置することができる。
【００７７】
これにより、被介護者は、座位及び立位の際に、脛骨、大腿骨及び骨盤を正しい位置に保ちながら、自身の体重を他（例えば、各足の親指以外の４指）に分散させることなく、各足底（特に、各足の親指）に対して体重の負荷を充分にかけることができるので、抗力の作用を充分に利用して自身の体重を容易に支えることができる。
【００７８】
このため、被介護者は、転倒等の２次的傷害を引き起こすことなく、座位及び立位での良肢位を安全且つ確実に保持することができる。
【００７９】
また、介護者の経験レベル等に対応して、各足底の配置位置にバラツキが生じることがないので、被介護者は、座位及び立位での良肢位を再現性良く実現することができる。
【００８０】
（第２の実施形態）
以下に、本発明に係る肢位矯正ボードについて、具体的な使用方法、すなわち、座位での使用方法を例にして、図３、図４、及び前述した図１を参照しながら説明する。
【００８１】
図３は、本発明に係る肢位矯正ボードを用いた座位を示す真横図である。
【００８２】
図４は、本発明に係る肢位矯正ボードにおける、各足底の配置位置を示す平面図である。
【００８３】
図３に示すように、被介護者は、本発明に係る肢位矯正ボード１００を用いて、座位での良肢位を実現する。
【００８４】
具体的には、図４に示すように、本発明に係る肢位矯正ボード１００を用いて、被介護者は、平坦部１０１における凸部１０３が存在していない部分の上に各足の親指を配置すると共に、傾斜部１０２の上に各足の親指以外の４指を配置する。このように、被介護者は、平坦部１０１及び傾斜部１０２の上に、凸部１０３に沿うようにして各足底を配置する。
【００８５】
これにより、被介護者は、座位の際に、介護者の手助け又は自らの力によって、地面に対して水平な面の上に各足の親指を間隔を空けて配置すると共に地面に対して水平な面から６．５°の角度が付された面の上に各足の親指以外の４指を配置することができる。
【００８６】
このように、本発明に係る肢位矯正ボード１００を用いた座位では、被介護者は、脛骨、大腿骨及び骨盤を正しい位置に保ちながら、自身の体重を他（例えば、各足の親指以外の４指）に分散させることなく、各足底（特に、各足の親指）に対して体重の負荷を充分にかけることができるので、座位の際に、抗力の作用を充分に利用することができる。
【００８７】
このため、被介護者は、自身の体重を容易に支えることができるので、転倒等の２次的傷害を引き起こすことなく、座位での良肢位を安全且つ確実に保持することができる。
【００８８】
また、介護者の経験レベル等に対応して、各足底の配置位置にバラツキが生じることがないので、被介護者は、座位での良肢位を再現性良く実現することができる。
【００８９】
尚、本発明に係る肢位矯正ボード１００を用いた座位では、被介護者のみを対象とするのではなく、骨盤矯正を目的とする全ての人々を対象とする。例えば、子供の座位姿勢の矯正を目的として、本発明に係る肢位矯正ボード１００を用いても良い。
【００９０】
（第３の実施形態）
以下に、本発明に係る肢位矯正ボードについて、具体的な使用方法、すなわち、立位での使用方法を例にして、図５(a) 及び(b) を参照しながら説明する。
【００９１】
図５(a) 及び(b) は、座位から立位への移行を示し、図５(a) は本発明に係る肢位矯正ボードを用いた座位を示す真横図であって、図５(b) は本発明に係る肢位矯正ボードを用いた立位を示す真横図である。
【００９２】
図５(a) に示すように、本発明に係る肢位矯正ボード１００を用いて、被介護者は、平坦部１０１における凸部１０３が存在していない部分の上に各足の親指を配置すると共に、傾斜部１０２の上に各足の親指以外の４指を配置する。このように、被介護者は、平坦部１０１及び傾斜部１０２の上に、凸部１０３に沿うようにして各足底を配置する（前述した図４参照）。
【００９３】
これにより、被介護者は、座位の際に、介護者の手助け又は自らの力によって、地面に対して水平な面の上に各足の親指を間隔を空けて配置すると共に地面に対して水平な面から６．５°の角度が付された面の上に各足の親指以外の４指を配置することができる。
【００９４】
このようにして、被介護者は、座位での良肢位を実現する。
【００９５】
次に、図５(b) に示すように、被介護者は、座位での良肢位を保持しながら立位へ移行する。
【００９６】
このとき、被介護者は、平坦部１０１に設けられた凸部１０３を用いて、両足底を正しい位置に固定しながら、座位から立位へ移行することができる。
【００９７】
このように、本発明に係る肢位矯正ボード１００を用いた座位から立位への移行では、被介護者は、脛骨、大腿骨及び骨盤を正しい位置、すなわち、足関節、膝関節、股関節の角度を正しい角度に固定矯正しながら、自身の体重を他（例えば、各足の親指以外の４指）に分散させることなく、各足底（特に、各足の親指）に対して体重の負荷を充分にかけることができる。
【００９８】
このため、被介護者は、座位から立位へ移行する際に、抗力の作用を充分に利用して自身の体重を容易に支えることができると共に下肢筋等に対して余分な負荷を与えることがないので、転倒等の２次的傷害を引き起こすことなく安全且つ確実に立位へ移行することができる。
【００９９】
更には、被介護者は、座位から立位へ移行する際に、自身の体重の負荷を利用して下肢筋の強化を安全且つ確実に図ることができる。
【０１００】
また、被介護者は、平坦部１０１に設けられた凸部１０３を用いて、各足底を正しい位置に固定しながら、すなわち、座位での良肢位を保持しながら、座位から立位へ移行することができる。
【０１０１】
これにより、被介護者は、座位から立位への移行の際に、各足底の配置位置がずれることを防止することができるので、立位での良肢位を確実に実現することができる。
【０１０２】
また、本発明に係る肢位矯正ボード１００を用いた立位では、被介護者は、脛骨、大腿骨及び骨盤を正しい位置に保ちながら、自身の体重を他（例えば、各足の親指以外の４指）に分散させることなく、各足底（特に、各足の親指）に対して体重の負荷を充分にかけることができるので、立位の際に、抗力の作用を充分に利用することができる。
【０１０３】
このため、被介護者は、立位の際に、自身の体重を容易に支えることができると共に下肢筋等に対して余分な負荷を与えることがないので、転倒等の２次的傷害を引き起こすことなく、立位での良肢位を安全且つ確実に保持することができる。
【０１０４】
更には、被介護者は、立位での良肢位を保持することにより、下肢筋に対して余分な負荷を与えることなく、各足底（特に、各足の親指）に対して体重の負荷を充分にかけることができるので、自身の体重の負荷を利用して下肢筋の強化を安全且つ確実に図ることができる。
【０１０５】
また、介護者の経験レベル等に対応して、各足底の配置位置にバラツキが生じることがないので、被介護者は、立位での良肢位を再現性良く実現することができる。
【０１０６】
また、被介護者は、立位での良肢位を保持することにより、自身の全ての組織に対して正しい刺激を与えることができるので、全ての組織の活性化を促すことができる。
【０１０７】
（第４の実施形態）
以下に、本発明に係る肢位矯正ボードについて、具体的な使用方法、すなわち、筋力の回復、維持及び増強を図る運動方法を例にして、図６(a) 〜(d) を参照しながら説明する。
【０１０８】
但し、本実施形態の説明では、前述した第１及び第２の実施形態と同様の説明は繰り返し行わない。
＜実施例１＞
以下に、本発明に係る肢位矯正ボードを用いた第１の運動について、図６(a) を参照しながら説明する。
【０１０９】
図６(a) は、本発明に係る肢位矯正ボードを用いた第１の運動の流れを示す真横図である。
【０１１０】
図６(a) に示すように、被介護者は、本発明に係る肢位矯正ボード１００を用いて、座位での良肢位を実現する。
【０１１１】
次に、図６(a)  に示すように、被介護者は、座位での良肢位を保持しながら、上体を体の前方へ倒す。続いて、被介護者は、上体を起こして座位での良肢位を保持しながら、上体を体の後方へ倒す。
【０１１２】
これにより、被介護者は、脛骨、大腿骨及び骨盤を正しい位置に保ちながら、骨盤を前後に動かすことができる。このため、被介護者は、第１の運動の際に、下肢筋に対して余分な負荷を与えることがないため、下肢伸筋及び下肢屈筋を効率良く動かすことができるので、２次的傷害を引き起こすことなく、下肢筋の強化を安全且つ確実に図ることができる。
＜実施例２＞
以下に、本発明に係る肢位矯正ボードを用いた第２の運動について、図６(b) を参照しながら説明する。
【０１１３】
図６(b) は、本発明に係る肢位矯正ボードを用いた第２の運動の流れを示す真横図である。
【０１１４】
図６(b) に示すように、被介護者は、本発明に係る肢位矯正ボード１００を用いて、座位での良肢位を実現する。
【０１１５】
次に、図６(b)  に示すように、被介護者は、座位での良肢位を保持しながら、両足を用いて凸部１０３を挟んで持ち上げるように力を加える。
【０１１６】
このように、被介護者は、両足を用いて凸部１０３を挟んで持ち上げるように力を加えることにより、脛骨、大腿骨及び骨盤を正しい位置に保ちながら、下肢筋及び腹筋に対して負荷を与えることができる。このため、被介護者は、第２の運動の際に、下肢筋及び腹筋に対して余分な負荷を与えることがないので、２次的傷害を引き起こすことなく、下肢筋及び腹筋の強化を安全且つ確実に図ることができる。
＜実施例３＞
以下に、本発明に係る肢位矯正ボードを用いた第３の運動について、図６(c) を参照しながら説明する。
【０１１７】
図６(c) は、本発明に係る肢位矯正ボードを用いた第３の運動の流れを示す真横図である。
【０１１８】
図６(c) に示すように、被介護者は、本発明に係る肢位矯正ボード１００を用いて、座位での良肢位を実現する。
【０１１９】
次に、図６(c) に示すように、被介護者は、座位での良肢位を保持しながら立位へ移行することにより、立位での良肢位を実現する。
【０１２０】
次に、図６(c)  に示すように、被介護者は、立位での良肢位を保持しながら、上体を体の前方へ倒す。続いて、被介護者は、上体を起こして立位での良肢位を保持しながら、上体を体の後方へ倒す。
【０１２１】
これにより、被介護者は、脛骨、大腿骨及び骨盤を正しい位置に保ちながら、骨盤を前後に動かすことができる。このため、被介護者は、第３の運動の際に、下肢筋に対して余分な負荷を与えることがないため、下肢伸筋及び下肢屈筋を効率良く動かすことができるので、転倒等の２次的傷害を引き起こすことなく、下肢筋の強化を安全且つ確実に図ることができる。
【０１２２】
更には、被介護者は、第３の運動の際に、立位での良肢位を保持することにより、下肢筋に対して余分な負荷を与えることなく、各足底（特に、各足の親指）に対して体重の負荷を充分にかけることができるので、自身の体重の負荷を利用して下肢筋の強化をより一層安全且つ確実に図ることができる。
＜第４の実施例＞
以下に、本発明に係る肢位矯正ボードを用いた第４の運動について、図６(d) を参照しながら説明する。
【０１２３】
図６(d) は、本発明に係る肢位矯正ボードを用いた第４の運動の流れを示す真横図である。
【０１２４】
図６(d) に示すように、被介護者は、本発明に係る肢位矯正ボード１００を用いて、座位での良肢位を実現する。
【０１２５】
次に、図６(d) に示すように、被介護者は、座位での良肢位を保持しながら立位へ移行することにより、立位での良肢位を実現する。
【０１２６】
次に、図６(d)  に示すように、被介護者は、立位での良肢位を保持しながら、両膝を曲げて屈伸運動を行う。
【０１２７】
これにより、被介護者は、脛骨、大腿骨及び骨盤を正しい位置に保ちながら、屈伸運動を行うことができる。このため、被介護者は、第４の運動の際に、下肢筋に対して余分な負荷を与えることがないため、下肢屈筋及び下肢伸筋を効率良く動かすことができるので、転倒等の２次的傷害を引き起こすことなく、下肢筋の強化を安全且つ確実に図ることができる。
【０１２８】
更には、被介護者は、第４の運動の際に、立位での良肢位を保持することにより、下肢筋に対して余分な負荷を与えることなく、各足底（特に、各足の親指）に対して体重の負荷を充分にかけることができるので、自身の体重の負荷を利用して下肢筋の強化をより一層安全且つ確実に図ることができる。
【０１２９】
尚、本発明に係る肢位矯正ボード１００を用いた運動方法では、第１〜第４の運動について説明したが、本発明はこれに限定されることはなく、様々な運動に用いることが可能である。
【０１３０】
例えば、立位での良肢位を保持しながら、上半身に位置する筋肉に対して適度な負荷をかけることにより、２次的傷害を引き起こすことなく、上半身に位置する筋肉の強化を安全且つ確実に図ることができる。
【産業上の利用可能性】
【０１３１】
本発明は、脛骨、大腿骨及び骨盤を正しい位置に保つことができるので、座位及び立位での良肢位の実現に有用である。
【図面の簡単な説明】
【０１３２】
【図１】(a) は、本発明に係る肢位矯正ボードの構造を示す斜視図であって、(b) は、本発明に係る肢位矯正ボードの構造を示す断面図である。
【図２】解剖学的肢位の状態を示す平面図である。
【図３】本発明に係る肢位矯正ボードを用いた座位を示す真横図である。
【図４】本発明に係る肢位矯正ボードにおける、各足の配置位置を示す平面図である。
【図５】(a) は、本発明に係る肢位矯正ボードを用いた座位を示す真横図であって、(b) は、本発明に係る肢位矯正ボードを用いた立位を示す真横図である。
【図６】(a) 〜(d) は、本発明に係る肢位矯正ボードを用いた第１〜第４の運動の流れを示す真横図である。
【図７】(a) は、座位での良肢位を保持する従来の方法を示す斜視図であって、(b) は、立位での良肢位を保持する従来の方法を示す正面図である。
【符号の説明】
【０１３３】
１００                肢位矯正ボード
１０１                平坦部
１０２                傾斜部
１０３                凸部
ａ                    角度
ｂ                    間隔
ｃ                    幅
ｄ                    高さ
ｅ                    幅
ｆ                    幅
ｇ                    幅
ｈ                    高さ
ｗ                    間隔
【図１】
2006230732.tif 000003
【図２】
2006230732.tif 000004
【図３】
2006230732.tif 000005
【図４】
2006230732.tif 000006
【図５】
2006230732.tif 000007
【図６】
2006230732.tif 000008
【図７】
2006230732.tif 000009